(57)【要約】    【課題】中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供すること。    【解決手段】排水管又は継手１４の下端部１４ｂに取り付けられるフランジ２１と、前記フランジ２１の非取付面側に設けられ、前記排水管又は継手１４に接続される樹脂製の排水立管１４端部周面を押圧して保持する一対の嘴状の保持片２２ａ、２２ｂとからなり、一対の嘴状の保持片２２ａ、２２ｂがバネ力によって突き合わせ状態に付勢されていることを特徴とする。  【選択図】図３
2008069959.tif 000002
【特許請求の範囲】
【請求項１】
中高層集合住宅等の建築物の床又は壁の防火区画を貫通する排水管又は継手に取り付けられる防火アタッチメントであって、
前記排水管又は継手の下端部に取り付けられるフランジと、
前記フランジの非取付面側に設けられ、前記排水管又は継手に接続される樹脂製の排水立管端部周面を押圧して保持する一対の嘴状の保持片と、
からなり、一対の嘴状の保持片がバネ力によって突き合わせ状態に付勢されていることを特徴とする防火アタッチメント。
【請求項２】
フランジが二つ割りされており、前記各分割体のそれぞれに一の保持片が設けられていることを特徴とする請求項１記載の防火アタッチメント。
【請求項３】
該防火アタッチメントがバネ鋼によって構成されていることを特徴とする請求項１または２記載の防火アタッチメント。
【請求項４】
一対の嘴状の保持片のうち、一方の保持片先端に延設部が設けられており、前記一対の保持片が閉じたときに、前記延設部が他方の保持片先端に重合するようにしたことを特徴とする請求項１〜３のいずれかに記載の防火アタッチメント。
【発明の詳細な説明】
【技術分野】
【０００１】
本発明は、中高層集合住宅等の建築物の床又は壁等の防火区画を貫通する排水管又は継手に取り付けられる防火アタッチメントに関し、詳細には各階の防火区画を貫通する排水管又は継手に取り付けられて、該排水管又は継手の管路を通じた他の防火区画への類焼を防止するようにした防火アタッチメントに関する。
【背景技術】
【０００２】
従来より、複数の住戸専有部分を備える中高層集合住宅等の建築物の排水設備１は、図６に示すように、建築物の上下方向に延びる排水立管２と、建築物の各階毎に設けられて、各階の住居部分の設備等からの排水を前記排水立管２まで導く排水横枝管３と、排水立管２と排水横枝管３とを接続する排水管又は継手４とを有してなり、排水管又は継手４は、その胴部４ａがコンクリートスラブＣの貫通孔Ｃ１に通されており、その胴部４ａによって上階の排水立管２と下階の排水立て管２とが接続されるようになっている。排水管又は継手４は、胴部４ａがコンクリートスラブＣの貫通孔Ｃ１に通された後、その胴部４ａと貫通孔Ｃ１の隙間部分がモルタルＭにより埋め戻されている（特許文献１参照）。
【０００３】
上記従来の排水設備において、建築物の上下方向に延びる排水立管２には、下階から上階への類焼を防ぐ目的で、鋼管や銅管などの金属管や樹脂管の周りにモルタル層を設けた耐火二層管などの配管部材が用いられていた。ところが、金属管や耐火二層管は重く、このような配管部材を配管場所に持ち込み、配管場所で所定の寸法に切断し接続するという配管作業は大変に手間がかかり、技術も要していた。
【０００４】
そこで、運搬や配管作業の手間を大幅に削減できる軽量で、加工性に優れた樹脂製の配管部材の使用が望まれていた。
【０００５】
このような要求に対し、従来より、汎用されている塩ビ管などの樹脂管を建築物の床又は壁等の防火区画を貫通する排水管又は継手に接続される排水立管の配管部材として用いることも検討された。
【０００６】
しかし、塩ビ管などの樹脂管を建築物の床又は壁等の防火区画を貫通する排水管又は継手に接続される排水立管として用いた場合、塩ビ管などの樹脂管は可燃性材料であるため、火災発生時の熱で溶融して消失してしまい、これにより排水管又は継手の管路を通じて他の防火区画への類焼を引き起こす招く恐れがあった。
【特許文献１】特開２００５−１４６５２５号公報
【発明の開示】
【発明が解決しようとする課題】
【０００７】
本発明は、このような技術的課題に鑑みなされたものであり、中高層集合住宅等の建築物の床又は壁等の防火区画を貫通する排水管又は継手に接続される排水立管として、重く取り扱い性が悪い金属管や耐火二層管などの配管部材に代えて軽量で取り扱い性が良好な樹脂管を用いた場合でも、火災発生時に排水管又は継手の管路を通じた他の防火区画への類焼を確実に防止することができる防火アタッチメントを提供することを目的とするものである。
【課題を解決するための手段】
【０００８】
上記目的を達成するため、請求項１記載の発明は、中高層集合住宅等の建築物の床又は壁の防火区画を貫通する排水管又は継手に取り付けられる防火アタッチメント２０であって、
前記排水管又は継手１４の下端部１４ｂに取り付けられるフランジ２１と、
前記フランジ２１の非取付面側に設けられ、前記排水管又は継手１４に接続される樹脂製の排水立管１４端部周面を押圧して保持する一対の嘴状の保持片２２ａ、２２ｂと、
からなり、一対の嘴状の保持片２２ａ、２２ｂがバネ力によって突き合わせ状態に付勢されていることを特徴とする防火アタッチメントをその要旨とした。
【０００９】
請求項２記載の発明は、フランジ２１が二つ割りされており、前記各分割体２１ａ、２１ｂのそれぞれに一の保持片２２ａ、２２ｂが設けられていることを特徴とする請求項１記載の防火アタッチメントをその要旨とした。
【００１０】
請求項３記載の発明は、該防火アタッチメント２０がバネ鋼によって構成されていることを特徴とする請求項１または２記載の防火アタッチメントをその要旨とした。
【００１１】
請求項４記載の発明は、一対の嘴状の保持片２２ａ、２２ｂのうち、一方の保持片２２ａ先端に延設部２３が設けられており、前記一対の保持片２２ａ、２２ｂが閉じたときに、前記延設部２３が他方の保持片２２ｂ先端に重合するようにしたことを特徴とする請求項１〜３のいずれかに記載の防火アタッチメントをその要旨とした。
【発明の効果】
【００１２】
本発明の防火アタッチメント２０にあっては、排水管又は継手１４の下端部１４ｂに取り付けられるフランジ２１の非取付面側に設けられ、バネ力によって突き合わせ状態に付勢されている一対の嘴状の保持片２２ａ、２２ｂが、前記排水管又は継手１４に接続される樹脂製の排水立管１２端部周面に当接して、これを押圧し保持するようになっている。このため、火災発生時の熱によって排水立管１２が溶融炭化したとき、これを保持する一対の嘴状の保持片２２ａ、２２ｂが前記残焼物Ｘを受け止めるので、前記排水管又は継手１４への管路が、一対の嘴状の保持片２２ａ、２２ｂによって受け止められ、保持された排水立管１２の残焼物Ｘによって閉塞され、排水管又は継手１４の管路を通じた他の防火区画への類焼が確実に防止される。
【００１３】
またこのアタッチメント２０を適用する場合、排水管又は継手１４の管路を通じた他の防火区画への類焼を確実に防止できるため、各階の排水管又は継手１４に接続される排水立管１２には、ポリ塩化ビニル、架橋ポリエチレン、ポリプロピレン、ポリブテン等の軽量で加工が容易な樹脂管を用いることができるため、建築物の配管作業をより効率よく行うことができる。
【００１４】
また本発明の防火アタッチメント２０は、一対の嘴状の保持片２２ａ、２２ｂのうち、一方の保持片２２ａ先端に延設部２３が設けられた形態を採ることもできる。この場合、前記一対の保持片２２ａ、２２ｂがそのバネ力で突き合わせ状態に当接して閉じたときに、前記一方の保持片２２ａ先端に設けた延設部２３が他方の保持片２２ｂ先端に重合するようになっている。このため、この形態を採用することで、一対の嘴状の保持片２２ａ、２２ｂ先端間に隙間がなくなり、排水立管１２の残焼物Ｘを落下させることがなく、該保持片２２ａ、２２ｂが排水立管１２の残焼物Ｘを確実に受け止めて、これを保持することができ、これにより排水立管１２の残焼物Ｘによる管路の閉塞が確実に実現することができ、排水管又は継手１４の管路を通じた他の防火区画への類焼がより確実に防止される。
【発明を実施するための最良の形態】
【００１５】
以下、本発明の防火アタッチメント（以下、単にアタッチメントという）を図面に示した一形態に従ってさらに詳しく説明する。図１〜図４に示すように、本発明のアタッチメント２０は、排水設備１１における建築物の上下方向に延びる排水立管１２と、建築物の各階毎に設けられて、各階の住居部分の設備等からの排水を前記排水立管１２まで導く排水横枝管１３とを接続する排水管又は継手１４の下端部１４ｂに取り付けられる。
【００１６】
図示の排水管又は継手１４は、その胴部１４ａがコンクリートスラブＣの貫通孔Ｃ１に通された後、その胴部１４ａと貫通孔Ｃ１の隙間部分がモルタルＭにより埋め戻されている。
【００１７】
本発明のアタッチメントを適用する場合、排水管又は継手１４の管路１４ｃを通じた他の防火区画への類焼が確実に防止されるため、排水立管１２には、ポリ塩化ビニル、架橋ポリエチレン、ポリプロピレン、ポリブテン、ポリエステル等の樹脂管、或いは樹脂管周りに吸音層や制振層など含む防音部材を巻き付けたものを用いることができる。
【００１８】
以下、上述のような作用効果を奏するアタッチメントの具体例を示す。図１〜図４に示すアタッチメント２０は、環状のフランジ２１と一対の嘴状の保持片２２とからなる。図示のフランジ２１は、バネ鋼やステンレスなどの金属板を円形に打ち抜き加工した薄板であり、このフランジ２１上には３つのボルト孔３１ａ、３１ｂが穿設されている。そして、このボルト孔３１ａ、３１ｂを通してフランジ２１が排水管又は継手１４の下端部１４ｂの接続バンド１４ｄのボルト１４ｅによってボルト締めされて、排水管又は継手１４の下端部１４ｂへの取り付けがなれるようになっている。尚、フランジ２１は環状であれば良く、例えば円形のほかに楕円形や多角形といった形状も採り得る。
【００１９】
図示のフランジ２１の場合、二つ割りされており、前記各分割体２１ａ、２１ｂのそれぞれに後述の一の保持片２２ａ、２２ｂが設けられている。そして、各分割体２１ａ、２１ｂに設けたボルト孔３１ａ、３１ｂを通して各分割体２１ａ、２１ｂが排水管又は継手１４の下端部１４ｂの接続バンド１４ｄのボルト１４ｅによってボルト締めされて、排水管又は継手１４の下端部１４ｂへの取り付けがなれるようになっている。
【００２０】
図１及び図２に示すように、一対の保持片２２ａ、２２ｂは、フランジ２１の排水管又は継手１４の下端部１４ｂへの非取付側面に設けられている。図示の例では、各保持片２２ａ、２２ｂが、二つ割りされたフランジ２１の各分割体２１ａ、２１ｂにそれぞれ設けられている。これら一対の保持片２２ａ、２２ｂは突き合わせ状態に設けたとき、嘴状をなすように断面凹状に形成されており、例えば分割体２１ａまたは２１ｂと共にバネ鋼やステンレスなどの金属板から打ち抜き、折り曲げ加工した後、保持片２２ａ、２２ｂの側面部分を溶接することによって製作することができる。このように作製された一対の保持片２２ａ、２２ｂはそのバネ力によって突き合わせ状態に当接するようになっている。
【００２１】
尚、フランジ２１と一対の保持片２２は、それぞれ別体に設け、フランジ２１と保持片２２との間に設けたバネによって一対の保持片２２が突き合わせ状態に当接するようにすることもできうる。
【００２２】
次に、このように構成された本発明のアタッチメントの使用例を説明する。尚、
以下は、図示された各保持片２２ａ、２２ｂが、二つ割りされたフランジ２１の各分割体２１ａ、２１ｂにそれぞれ設けられている形態に従って説明する。まず、図３に示すように、建築物の各階の防火区画を貫通する排水管又は継手１４の下端部１４ｂに各フランジ２１ａ、２１ｂを取り付ける。各フランジ２１ａ、２１ｂを取り付けることで、各フランジ２１ａ、２１ｂの非取付面側に設けた一対の保持片２２ａ、２２ｂは突き合わせ状態に当接する。
【００２３】
次いで、アタッチメント２０の一対の保持片２２ａ、２２ｂを押し開き、前記排水管又は継手１４の下端部１４ｂの開口に排水立管端部１２を接続する。すると、フランジ２１ａ、２１ｂに設けた一対の保持片２２ａ、２２ｂが前記排水立管１２の周面にその付勢力（バネ力）によって当接し、これを押圧して該排水立管１２が保持されるようになる。
【００２４】
そして火災が発生したとき、その火災時の熱で樹脂製の排水立管は溶融して炭化する。これに伴い、図４に示すように、排水立管１２周面を押圧していた一対の保持片２２ａ、２２ｂは、そのバネ力で内方に向かって閉じ、前記排水立管１２の残焼物Ｘを受け止める。この結果、前記排水管又は継手１４の下端部１４ｂの開口は前記排水立管１２の残焼物Ｘによって閉塞され、排水管又は継手１４の管路を通じた他の防火区画への類焼が確実に防止されることになる。
【００２５】
次に、本発明のアタッチメントの別の形態を図５に示す。このアタッチメント２０は、一対の嘴状の保持片２２ａ、２２ｂのうち、一方の保持片２２ａ先端に延設部２３が設けたものである。このような形態とした場合、前記一対の保持片２２ａ、２２ｂがそのバネ力で突き合わせ状態に当接して閉じたときに、前記一方の保持片２２ａ先端に設けた延設部２３が他方の保持片２２ｂ先端に重合するようになる。このため、一対の嘴状の保持片２２ａ、２２ｂ先端間に隙間がなくなり、排水立管の残焼物Ｘを落下させることがなく、該保持片２２ａ、２２ｂが排水立管の残焼物Ｘを確実に受け止めて、これを保持することができ、これにより排水立管の残焼物Ｘによる管路の閉塞が確実に実現することができ、排水管又は継手の管路を通じた他の防火区画への類焼がより確実に防止されるようになる。
【００２６】
尚、本発明のアタッチメントは、上記の例に限定されるものではなく、例えば図１０及び図１１に示すアタッチメントにおいて、一対の保持片２２ａ、２２ｂの各先端をゴムカバーで被覆しておき、火災時の熱で排水立管は溶融炭化しあときにゴムカバーも溶融炭化して、このゴムカバーの残焼物によって一対の保持片２２ａ、２２ｂの各先端間の隙間を埋めるようにするなど、特許請求の範囲に記載された範囲内で自由に変更することができる。
【図面の簡単な説明】
【００２７】
【図１】本発明のアタッチメントの一対の保持片が閉じた状態を示す拡大斜視図。
【図２】本発明のアタッチメントの一対の保持片が開いた状態を示す拡大斜視図。
【図３】本発明のアタッチメントを排水管又は継手の下端部に取り付けた状態を示す正面図。
【図４】図３に示すアタッチメントが、火災時の熱で溶融、炭化した排水立管の残焼物を受け止めて保持している状態を示す正面。
【図５】本発明のアタッチメントの別例を示す要部拡大図。
【図６】従来の排水設備を示す模式図である。
【符号の説明】
【００２８】
１２…排水立て管
１３…排水横枝管
１４…排水管又は継手
１４ｂ…下端部挿し口
２０…アタッチメント
２１…フランジ
２１ａ、２１ｂ…分割体
２２、２２ａ、２２ｂ…保持片
２３…延設部
３１、３１ａ、３１ｂ…ボルト孔
Ｘ…排水立管の残焼物
【図１】
2008069959.tif 000003
【図２】
2008069959.tif 000004
【図３】
2008069959.tif 000005
【図４】
2008069959.tif 000006
【図５】
2008069959.tif 000007
【図６】
2008069959.tif 000008